(57)【特許請求の範囲】
【請求項１】
外枠に内置される洗濯兼脱水槽と、この洗濯兼脱水槽の内底に回動自在に備わる撹拌翼と、この撹拌翼および洗濯兼脱水槽を回転駆動するモータと、外枠の上側に備わる開閉自在なる開閉蓋とを有する全自動洗濯機において、
開閉蓋の開放状態で、洗濯またはすすぎの行程動作とは別個に短い時間だけ任意に撹拌翼を回転させる撹拌確認運転の指示手段を設けたことを特徴とする全自動洗濯機。
【請求項２】
請求項１に記載の全自動洗濯機において、前記撹拌確認運転の指示手段は、他の運転指示操作スイッチと兼用したことを特徴とする全自動洗濯機。
【請求項３】
外枠に内置される洗濯兼脱水槽と、この洗濯兼脱水槽の内底に回動自在に備わる撹拌翼と、この撹拌翼および洗濯兼脱水槽を回転駆動するモータと、外枠の上側に備わる開閉自在なる開閉蓋とを有する全自動洗濯機において、
撹拌翼が撹拌回転する洗濯またはすすぎの行程で、開閉蓋が開放作動した際にモータの回転動作を停止させ、
開閉蓋の開放状態で、洗濯またはすすぎの行程動作とは別個に撹拌翼が撹拌回転する撹拌確認運転をモータに指示する指示スイッチを備えたことを特徴とする全自動洗濯機。
【請求項４】
外枠に内置される洗濯兼脱水槽と、この洗濯兼脱水槽の内底に回動自在に備わる撹拌翼と、この撹拌翼および洗濯兼脱水槽を回転駆動するモータと、外枠の上側に備わる開閉自在なる開閉蓋とを有する全自動洗濯機において、
撹拌翼が撹拌回転する洗濯またはすすぎの行程で、開閉蓋が開放作動した際にモータの回転動作を停止させ、この開閉蓋の開放状態で任意に撹拌翼を撹拌回転させるためにモータの運転を指示する指示スイッチを設けたことを特徴とする全自動洗濯機。
【請求項５】
請求項１乃至４のいずれか１項に記載の全自動洗濯機において、前記撹拌確認運転またはモータの運転は、前記指示手段またはスイッチがオンにしているときに行われ、オフで停止することを特徴とする全自動洗濯機。
【請求項６】
請求項１乃至４のいずれか１項に記載の全自動洗濯機において、前記撹拌確認運転またはモータの運転は、前記指示手段またはスイッチによる運転指示を受けると所定時間行われることを特徴とする全自動洗濯機。
【発明の詳細な説明】
【０００１】
【発明の属する技術分野】
本発明は全自動洗濯機に係り、特に洗いまたはすすぎの撹拌行程で開閉蓋を開けたときの安全性に関する。
【０００２】
【従来の技術】
一般的な全自動洗濯機は、洗いから脱水まで自動で行う工程において、洗いまたはすすぎの撹拌工程で開閉蓋を開閉しても、前記回転翼は運転を継続しているのが一般的である。洗いの撹拌工程においては、洗濯物の種類，大きさ，厚さなどにより洗える量が変わるため使用者は洗濯物の入れすぎによる洗濯物の動き具合を確認して調節する場合があり、すすぎの撹拌工程においては洗剤の入れすぎによるすすぎ不十分または泡による弊害等を確認する場合がある。このようなことから洗いまたはすすぎの撹拌工程においては、使用者が工程中の確認等を行う為に、開閉蓋の開閉に係わず回転翼の運転を継続させ洗いまたはすすぎ工程のプログラムを進行させるものである。但し、脱水工程においては洗濯兼脱水槽が高速回転しているため、開閉蓋を開けたときは安全のために運転を停止するようにしている。
【０００３】
【発明が解決しようとする課題】
洗いから脱水まで自動で行う全自動洗濯機の洗いまたはすすぎの撹拌工程で開閉蓋を開けたとき回転翼の運転を継続させた場合、洗濯物の動き具合を確認して調節するとき等に洗濯物が手に巻きついてけがをする問題が発生する。また、洗濯機の近くに台が置いてある場合等には幼児が洗濯兼脱水槽の中をのぞき誤って洗濯兼脱水槽の中に落ちて洗濯物の動きにより、洗濯物に巻き込まれたり、回転翼の回転により傷害を負う問題が発生する。
【０００４】
本発明の１つの目的は、洗いまたはすすぎの撹拌工程で開閉蓋を開けたときは回転翼の運転を安全のために停止させ、かつ洗濯物の動きを確認することができる操作ボタンを設けて構成する全自動洗濯機を提案することにある。
【０００５】
本発明の他の目的は、洗濯物の動きを確認することができる操作ボタンによる回転翼の運転時間を限定して構成する全自動洗濯機を提案することにある。
【０００６】
【課題を解決するための手段】
本発明は、外枠に内置される洗濯兼脱水槽と、この洗濯兼脱水槽の内底に回動自在に備わる撹拌翼と、この撹拌翼および洗濯兼脱水槽を回転駆動するモータと、外枠の上側に備わる開閉自在なる開閉蓋とを有する全自動洗濯機において、開閉蓋の開放状態で、洗濯またはすすぎの行程動作とは別個に短い時間だけ任意に撹拌翼を回転させる撹拌確認運転の指示手段を設けたことを特徴とするものである。
このとき、撹拌確認運転の指示手段は、他の運転指示操作スイッチと兼用するとよい。
【０００７】
また本発明は、外枠に内置される洗濯兼脱水槽と、この洗濯兼脱水槽の内底に回動自在に備わる撹拌翼と、この撹拌翼および洗濯兼脱水槽を回転駆動するモータと、外枠の上側に備わる開閉自在なる開閉蓋とを有する全自動洗濯機において、撹拌翼が撹拌回転する洗濯またはすすぎの行程で、開閉蓋が開放作動した際にモータの回転動作を停止させ、開閉蓋の開放状態で、洗濯またはすすぎの行程動作とは別個に撹拌翼が撹拌回転する撹拌確認運転をモータに指示する指示スイッチを備えたことを特徴とするものである。
【０００８】
また本発明は、外枠に内置される洗濯兼脱水槽と、この洗濯兼脱水槽の内底に回動自在に備わる撹拌翼と、この撹拌翼および洗濯兼脱水槽を回転駆動するモータと、外枠の上側に備わる開閉自在なる開閉蓋とを有する全自動洗濯機において、撹拌翼が撹拌回転する洗濯またはすすぎの行程で、開閉蓋が開放作動した際にモータの回転動作を停止させ、この開閉蓋の開放状態で任意に撹拌翼を撹拌回転させるためにモータの運転を指示する指示スイッチを設けたことを特徴とするものである。
【０００９】
上記の各自動洗濯機において、撹拌確認運転またはモータの運転は、指示手段または指示スイッチがオンにしているときに行われ、オフで停止するようにするとよい。また、撹拌確認運転またはモータの運転は、指示手段または指示スイッチによる運転指示を受けると所定時間行うようにするとよい。
【００１０】
開閉蓋の開放状態で、洗濯またはすすぎの行程動作とは別個に撹拌翼を回転させる指示手段または指示スイッチを設けたので、任意に撹拌翼の撹拌状態を直接確認できる。
【００１１】
【発明の実施の形態】
以下、本発明の一実施例を図面に基づいて説明する。
【００１２】
図１において、鋼板製で且つ箱形の外枠１内には、吊り棒２及び防振ばね３によってポリプロピレン等の合成樹脂製の外槽４が防振支持されている。外槽４内には水平断面形状が略円形な洗濯兼脱水槽５が設けられる。この洗濯兼脱水槽５の上端縁には合成樹脂製の上部流体バランスリング６がねじにより取り付けられている。洗濯兼脱水槽５の側壁には多数の脱水孔５ａが設けられ、底部内側の中央にはポリプロピレン等の合成樹脂にて形成された回転翼７が設置され、該回転翼７の周囲にはその外周面を洗濯兼脱水槽５の内周面に当接して支えたポリプロピレン等の合成樹脂製の中空リングに流体を封入した下部流体バランスリング８が取り付けられる。
【００１３】
外槽４の上端には、外槽４と前記洗濯兼脱水槽５の間の隙間に洗濯物が落下するのを防止するために、合成樹脂製の槽カバー９が設けられる。
【００１４】
排水装置１０は、前記外槽４の底部の外側に取り付けられて該外槽４の内側に連通した排水モータ１１と、排水モータ１１に接続する排水ホース１２を備える。排水ホース１２は、外枠１の側壁下部に形成した穴を通して枠外に伸長される。
【００１５】
外槽４の底部外側には、更に駆動装置１３を取り付ける鋼板製のセンターベース１４が固定されており、センターベース１４にはモータ１５とクラッチ機構部１６が固定される。モータ１５の出力軸１５ａには駆動プーリ１７が固定され、クラッチ機構部１６の入力軸１６ａには従動プーリ１８が固定され、両プーリ１７，１８はベルト１９によって連結される。クラッチ機構部１６は、その内部に洗濯駆動と脱水駆動を切り換えるクラッチや減速機構を備え、その２重出力軸１６ｂはセンターベース１４及び外槽４を貫通して外槽４内に突出し、外側軸には洗濯兼脱水槽５が結合され、内側軸には回転翼７が結合される。外枠１の上端部には上面カバー２０が取り付けられ、上面カバー２０の中央部には衣類投入口  ２０ａが開口し、その手前側にはフロントパネルボックス２０ｂが形成され、後側にはリアパネルボックス２０ｃが形成される。前記衣類投入口２０ａは開閉蓋２１で開閉自在に覆われ、前記フロントパネルボックス２０ｂ内には制御装置  ２２が設置され、前記リアパネルボックス２０ｃ内には注水口２３に連なる給水電磁弁２４と前記開閉蓋２１の開閉に係合しＯＮ，ＯＦＦする安全スイッチ２６が設置される。安全スイッチ２６のＯＮ，ＯＦＦの制御状態は制御装置２２に入力され、そして制御装置２２により、モータ１５等の電気部品の運転を指示制御するようになっている。
【００１６】
図２は、一般的な洗濯工程図でこの洗濯工程が制御装置２２にプログラムされている。洗いまたはすすぎの撹拌工程において、回転翼７は制御装置２２の指示制御により左右回転され、洗濯兼脱水槽５に投入された洗濯物は回転翼７の回転により動かされ、洗濯兼脱水槽５内で回動や上下の入れ替わりといった布動きをする。回転翼７の近傍にない上部の洗濯物には下部の洗濯物が動くことによって、回転翼７の回転力を伝えることになるので、洗濯物同士は絡み合いながら動くことになる。この動きによって、洗濯物は回転翼７や洗濯兼脱水槽５内周壁との接触による摩擦やねじれ，伸縮などの機械力を受けて洗浄される。上記は開閉蓋２１を閉じている場合であり、洗いまたはすすぎの撹拌工程で開閉蓋２１を開けたときは、安全スイッチ２６が動作し、制御装置２２により回転翼７を回転させるモータ１５を制御し、回転翼７の運転を停止するように構成されている。
【００１７】
脱水中に開閉蓋２１を開けたときは、洗濯兼脱水槽５が高速回転しているため、安全のために運転を停止するように構成される。
【００１８】
図３はフロントパネルボックス２０ｂに取り付けられるパネル２７を示している。パネル２７には水量切り換え設定用の水量ボタン５２，運転開始時間を予約する運転予約ボタン５３，念入りすすぎの設定をする。念入りすすぎボタン，洗い，すすぎ，脱水の行程を選択する行程スイッチが備わっている。さらに水流の強さ、お急ぎ洗濯のコースを選択するコースボタン、回転翼７の回動運転動作を確認する運転確認ボタン、運転動作のスタートおよび一時停止を指示するスタート／停止スイッチが備わっている。
【００１９】
図４は、図３に相当する他の実施例である。そしてフロントパネルボックス  ２０ｂに取り付けられるパネル２７′を示すもので、図３に示すパネル２７との違いは、運転確認ボタンを省いてコース／運転確認ボタン５６′を備えたものである。このコース／運転確認ボタン５６′はコースボタンと運転確認ボタン56′を兼用したものである。水量ボタン，予約ボタン，念入りすすぎボタン，行程ボタンおよびスタート／一時停止ボタンと運転確認ボタンを兼用するようにして良い。
【００２０】
図５は全体の回路を示す回路図である。制御基板４０は制御装置２２の備わる主要部である。スイッチ基板４１はパネル２７に備わる主要部である。
【００２１】
制御基板４０とスイッチ基板４１はフラットケーブル４３で電気的に接続されている。
【００２２】
電源用のプラグ４４は電源ヒューズ４５，電源スイッチ４６を介して制御基板４０に接続されている。電源スイッチ４６はオートオフ式になっている。電源スイッチ４６がオン状態にあって、運転指示が一定時間たってもないときには、自動的にオフ状態に切り換わるようになっている。
【００２３】
回転翼７および洗濯兼脱水槽５を回転駆動する洗濯用のモータ１５はサーモスイッチ４２を介して制御基板４０に接続されている。起動用コンデンサー４９がモータ１５のコイル間に接続されている。一方のコイルには電流トランス５０が直列接続されている。
【００２４】
排水モータ１１は切り換えスイッチ４８を介して制御基板４０に接続されている。排水モータ１１は排水装置１０を開け締めするもので、排水装置１０を十分に開けたときに切り換えスイッチ４８を（開）端子に切り換わるようになっている。また排水装置１０を十分に締めたときに切り換えスイッチ４８を（閉）端子に切り換わるようになっている。そして、（閉）端子から（開）端子、（開）端子から（閉）端子に切り換わることにより、切り換えスイッチ４８にて排水モータ１１の通電が切れ、排水モータ１１は停止するようになっている。
【００２５】
安全スイッチ２６はクラッチソレノイド４７を介して制御基板４０に接続されている。また安全スイッチ２６とクラッチソレノイド４７の接続点を制御基板  ４０に接続して安全スイッチ２６の開，閉動作を検知するようにしている。
【００２６】
脱水運転中に、安全スイッチ２６が開放作動すると、クラッチソレノイド４７の通電が切られてブレーキが作動し、洗濯兼脱水槽５の回転を急停止させるようになっている。また安全スイッチ２６の開放動作は、検知されるので、洗濯用モータ１５の通電は停止するようになっている。モータ１５の通電停止は洗濯，すすぎ時にも同様に行われる。給水電磁弁２４，水位センサ５１は、制御基板４０に接続されている。水量ボタン５２のスイッチ，予約ボタンのスイッチ，念入りすすぎのスイッチ，行程ボタンのスイッチ，コースボタンのスイッチ，運転確認ボタンのスイッチ，スタート／一時停止ボタンのスイッチはスイッチ基板４１の接続されている。
【００２７】
次に動作について説明する。
【００２８】
洗濯兼脱水槽５は洗濯物を入れ、開閉蓋２１を閉じ、洗濯運転のセットに必要な上記ボタンを押し、スタート／一時停止ボタンを押すことにより、運転は開始される。そして、洗い工程ないしすすぎ工程中に開閉蓋２１を開放すると、安全スイッチ２６が開放作動し、この開放作動が検知され、制御基板４０の指示で洗濯用モータ１５の通電が切れてモータ１５の回転は止まり、回転翼７の撹拌動作は止まる。
【００２９】
したがって、開閉蓋２１を開くと、撹拌翼７が回動する洗い工程ないしすすぎ工程が自動的に停止するので安全である。
【００３０】
一方、開閉蓋２１を開いた状態で撹拌翼７による洗濯物の布動きを直接確認する必要がある。
【００３１】
運転確認ボタン５７のスイッチが押されることにより、制御基板４０からの指示により洗濯用モータ１５に通電されて撹拌翼７が回わされるのである。運転確認ボタン５７による撹拌動作は、運転確認ボタン５７が押されている間、または運転確認ボタン５７を押し終えた後も一定時間撹拌動作が継続するようにする。さらに、運転確認ボタン５７を押し、一定時間過ぎてから撹拌動作が所定時間行われるようにしてもよい。
【００３２】
図４に示す実施例は、運転確認ボタンが他のボタンと兼用になっている。運転確認動作の指示と他の運転指示が区別して行われるようにソフト組まれている。１つは、行程ないしコースを設定し、スタート／一時停止ボタン５８を押して洗濯機の運転を行わせてから、開閉蓋２１を開き、洗濯機の運転を一時的に止めた後に、兼用のボタンを押すことにより、運転確認が受け付けられるようにする。もう一つは、開閉蓋２１を開き、スタート／一時停止ボタン５８を押すと、次に運転確認が受け付けられるようにする。
【００３３】
さらにもう一つは、洗濯運転動作中に、開閉蓋２１を開いて洗濯機の運転を一時的に止め、スタート／一時停止ボタン５８を押すと、次に運転確認が受け付けられるようにする。この他ソフトも種々考えられるが、説明は省く。
【００３４】
【発明の効果】
洗濯またはすすぎの工程で、開閉蓋が開けられると撹拌翼を回転させるモータが止まるので安全である。
【００３５】
また開閉蓋の開放状態にあって、指示手段または指示スイッチにより、任意にモータを回わすことができるので、直接、撹拌状態を見て確認できる。
【図面の簡単な説明】
【図１】本発明の一実施例に係る全自動洗濯機の縦断面図である。
【図２】本発明の一実施例に係る全自動洗濯機の工程図である。
【図３】本発明の一実施例に係るパネル図である。
【図４】本発明の他の実施例に係るパネル図である。
【図５】本発明の一実施例に係る全体回路図である。
【符号の説明】
１…外枠、５…洗濯兼脱水槽、７…撹拌翼、１５…モータ、２１…開閉蓋、  ２６…安全スイッチ。
【図１】
0003823518.tif 000002
【図２】
0003823518.tif 000003
【図３】
0003823518.tif 000004
【図４】
0003823518.tif 000005
【図５】
0003823518.tif 000006